(57)【要約】【課題】遊技盤の交換による外観デザインの変化が大きな弾球遊技機を提供する。【解決手段】遊技盤５の背面上部に断面がクランク状に屈曲されたブラケット２５を取り付け、その端部の装飾保持部２５ａの下面にパトライト２４を取り付け、遊技面４の前方かつ外側に配置する。パトライト２４及び装飾保持部２５ａは、前面扉６が閉じられたときに収容開口３７に収容される。収容開口３７の外側には、透明なプラスチックで形成されたカバー部材２６が取り付けられており、パトライト２４は視認可能かつ接触不能に覆われる。遊技盤５の交換時には、パトライト２４とブラケット２５も一緒に交換される。【選択図】図２
2009028351.tif 000002
【特許請求の範囲】
【請求項１】
遊技面が前方を向くように遊技機本体に取り付けられる遊技盤と、
前記遊技盤に一端が取り付けられ、前記遊技面の前方かつ外側に他端が突出されるブラケットと、
前記ブラケットの他端に取り付けられる装飾部材と、
前記装飾部材を視認可能なように覆うカバー部材とを備えたことを特徴とする弾球遊技機。
【請求項２】
前記遊技面の前方をガラス窓によって視認可能なように覆う前面扉には、前記ガラス窓の領域外に前記装飾部材を収容する収容空間と、前記カバー部材とが一体に設けられることを特徴とする請求項１記載の弾球遊技機。
【請求項３】
前記遊技面の前方をガラス窓によって視認可能なように覆う前面扉には、前記ガラス窓の領域外に前記カバー部材と組み合わされて前記装飾部材を視認可能なように露呈させる窓、または開口が一体に設けられることを特徴とする請求項１記載の弾球遊技機。
【請求項４】
前記装飾部材は、遊技に応じて作動する電気的装飾装置であることを特徴とする請求項１〜３いずれか記載の弾球遊技機。
【請求項５】
前記装飾部材は、シートに模様、色彩もしくはこれらの結合が表されたデザインシートであることを特徴とする請求項１〜３いずれか記載の弾球遊技機。
【請求項６】
前記ブラケットの他端は、前記装飾部材の種類に応じた形状を有することを特徴とする請求項１〜５いずれか記載の弾球遊技機。
【請求項７】
前記ブラケットの一端は、前記遊技盤の背面に取り付けられ、前記他端は、前記遊技盤の側面を経由して前記遊技面の前方かつ外側に突出されることを特徴とする請求項１〜６いずれか記載の弾球遊技機。
【発明の詳細な説明】
【技術分野】
【０００１】
本発明は、遊技盤の交換によって機種が変更される弾球遊技機に関する。
【背景技術】
【０００２】
遊技盤の遊技面上に遊技球を打ち出し、遊技面上を流下する遊技球を入賞口に入賞させ、入賞の景品である賞球の払い出しを受ける弾球遊技機として、パチンコ機が知られている。パチンコ機は、複数のユニットから構成されており、例えば、遊技球を発射する発射機構等が組み込まれて遊技店の島設備に設置される遊技機本体と、この遊技機本体の前面側に取り付けられ、前面及び背面に遊技面及び制御基板等が設けられた遊技盤と、遊技面の前方を視認可能に覆う前面扉等を備えている。
【０００３】
遊技盤には、遊技面を形成するデザインシート、遊技面上に設置される釘、風車、入賞口とともに、各種の演出を行なう役物が取り付けられる。パチンコ機の外観デザインは、遊技盤だけでなく、前面扉と、この前面扉の下方に設けられた下部ユニットとのデザインの組み合わせによって構成される。
【０００４】
従来のパチンコ機には、前面扉の内側に役物を取り付けて遊技面上に配置するもの（特許文献１参照）、前面扉の上部に前方に張り出された張出部を設け、この張出部内に可動役物を組み込んだもの（特許文献２参照）がある。このパチンコ機は、前面扉が重くなって開閉しにくくなるという問題と、張出部内の可動役物に対する電源供給用の配線処理に手間がかかるという問題がある。
【０００５】
また、従来のパチンコ機には、遊技盤を交換することにより機種が変更されるものがある（例えば、特許文献３参照）。遊技盤の交換により外観デザインが変化し、遊技盤の背面側に取り付けられた制御基板も一緒に交換されて遊技内容が変更される。
【特許文献１】特許第３４４７２５５号公報
【特許文献２】特開２００６−２４７２１２号公報
【特許文献３】特開２００６−１２２３２３号公報
【発明の開示】
【発明が解決しようとする課題】
【０００６】
遊技盤の交換により機種が変更されるパチンコ機では、機種変更時のコスト削減のため、前面扉や下部ユニットは交換されない。そのため、機種変更後の外観デザインの変化が乏しいという問題があった。
【０００７】
本発明は、上記問題を解決するため、遊技盤の交換による外観デザインの変化が大きな弾球遊技機を提供する。
【課題を解決するための手段】
【０００８】
上記課題を解決するために本発明の弾球遊技機は、遊技面が前方を向くように遊技機本体に取り付けられる遊技盤と、遊技盤に一端が取り付けられ、遊技面の前方かつ外側に他端が突出されるブラケットと、ブラケットの他端に取り付けられる装飾部材と、装飾部材を視認可能なように覆うカバー部材から構成したものである。なお、カバー部材は、装飾部材を外部から接触不能となるように覆うため、装飾部材の破損防止、遊技機内への不正侵入防止等を図る上で好適である。
【０００９】
また、遊技面の前方をガラス窓によって視認可能なように覆う前面扉に対し、ガラス窓の領域外に装飾部材を収容する収容空間と、カバー部材とを一体に設けたものである。
【００１０】
また、カバー部材は、前面扉と別体に設けてもよい。この場合には、ガラス窓の領域外にカバー部材と組み合わされて装飾部材を視認可能なように露呈させる窓、または開口が設けられる。
【００１１】
また、装飾部材としては、遊技に応じて作動する電気的装飾装置、シートに模様、色彩もしくはこれらの結合が表されたデザインシート等が用いられる。更に、ブラケットの他端は、装飾部材の種類に応じた形状にすることが好ましい。
【００１２】
また、ブラケットは、一端が遊技盤の背面に取り付けられ、他端が遊技盤の側面を経由して遊技面の前方かつ外側に突出されるようにしたものである。
【発明の効果】
【００１３】
本発明の弾球遊技機によれば、遊技盤の交換により遊技面の前方かつ外側に配置された装飾部材が一緒に交換されるので、機種変更後の外観デザインの変化を大きくすることができる。
【００１４】
また、機種変更ほど大幅な変更ではない、例えば大当たり確率のみの変更時等には、装飾部材だけを交換することもできる。例えば、装飾部材のパトライトを可動フィギュア等に変更すれば、同じ盤面構成であっても容易に効果的なイメージチェンジを図ることができる。更に、同じ種類の機種に対して装飾部材だけを違うものにすることもでき、簡単に機種バリエーションを増やすことができる。
【００１５】
また、例えば、パトライト等の機種依存性の少ない装飾部材は、機種変更済みの遊技盤から取り外して他の種類の機種に容易に流用することができる。これにより、弾球遊技機のコストを低減させ、かつリサイクル適正の向上を図ることができる。
【００１６】
更に、前面扉のガラス窓の領域外に、装飾部材を収容する収容空間とカバー部材とを一体に設けたので、装飾部材の変更により前面扉の外観デザインも簡単に変化させることができる。
【００１７】
また、カバー部材を前面扉と別体に構成し、前面扉の窓または開口と組み合わせるようにすれば、カバー部材も異なるデザインのものに交換することができるので、外観デザインをより大幅に変更することができる。
【００１８】
また、装飾部材として、電気的装飾装置、デザインシート等、様々なものを用いることができるので、外観デザインの変化を更に大きくすることができる。
【００１９】
更に、ブラケットの一端を遊技盤の背面に取り付け、他端が遊技盤の側面を経由して遊技面の前方かつ外側に突出されるようにしたので、遊技面がブラケットによって隠れたり、遊技面のデザインがブラケットに阻害されることはない。
【発明を実施するための最良の形態】
【００２０】
図１に示す本発明のパチンコ機２は、ベース部材となる遊技機本体３と、この遊技機本体３に遊技面４が前方を向くように取り付けられる遊技盤５と、遊技面４の前方を視認可能かつ接触不能に覆うガラス窓６ａが設けられた前面扉６と、この前面扉６の下方に配置され、遊技球が払い出される受皿７と、遊技面３上に遊技球を打ち出す操作ハンドル８等が設けられた下部ユニット９から構成される。
【００２１】
遊技機本体３内には、遊技面４上に遊技球を打ち出す発射機構、遊技面４で遊技球が入賞したときに受皿７に賞球を払い出す払出し機構、遊技面４上から排出された遊技球を遊技店の設備に回収する回収機構、パチンコ機２全体を制御する制御回路等が設けられている。この遊技機本体３は、外周に設けられた固定枠１２の内側に取り付けられ、この固定枠１２が遊技店の島設備に固定される。
【００２２】
遊技面４には、遊技球が流下する遊技領域が設けられている。この遊技領域は、打ち出された遊技球をガイドするレール１５により画定される。遊技領域内には、センター役物と呼ばれる構造物１６と、通過チャッカー１７，始動チャッカー１８，入賞チャッカー１９，アタッカー２０等の遊技球が入賞する入賞装置と、これらの入賞装置１７〜２０に入賞しなかった遊技球を遊技面４上から回収する回収口２１等が設けられている。なお、遊技面４上の各構造物については周知なので、詳しい説明は省略する。
【００２３】
前面扉６の上部でガラス窓６ａの領域外には、遊技面４の前方かつ外側で、遊技面４を遊技者の視線から隠さない位置に配置されたパトライト２４が設けられている。このパトライト２４は、本発明の装飾部材を構成し、ブラケット２５に略水平に設けられた装飾保持部２５ａの下面に取り付けられ、遊技中に点灯して演出を行なう。パトライト２４及びブラケット２５は、例えば透明なプラスチックで形成されたカバー部材２６により、視認可能かつ接触不能に覆われる。
【００２４】
前面扉６は、側縁が遊技機本体３に軸支されて遊技面４の前方を覆う閉じ位置と、図２に示すように開放する開き位置との間で回動自在である。図３に示すように、遊技機本体３の前面側には、遊技盤５が取り付けられる遊技盤取付部２９が設けられている。遊技盤５は、遊技盤取付部２９に対して着脱自在とされており、機種変更時に取り外されて新しい遊技盤５に交換される。遊技盤５の背面には、パチンコ機２での遊技や各種演出を制御する主制御基板３０、副制御基板３１（図４参照）が取り付けられており、これらの制御基板３０，３１も遊技盤５と一緒に交換される。
【００２５】
図４及び５に示すように、ブラケット２５は、例えば金属薄板を断面がクランク状になるように屈曲して形成される。また、パトライト２４等の装飾部材の重量がかかる屈曲部には、ブラケット２５の変形を防止するリブ２５ｄが設けられている。パトライト２４及びブラケット２５は、遊技盤５の交換時に一緒に交換される。
【００２６】
ブラケット２５は、一端側に略垂直に形成された取付部２５ｂに複数の穴２５ｃが形成されており、これらの穴２５ｃに挿通されたネジ３４が遊技盤５の背面上部５ａに設けられたネジ穴５ｂに噛合され、遊技盤５に固着される。ブラケット２５の他端側の装飾保持部２５ａは、遊技盤５の上面（側面）を経由して、遊技面４の前方かつ外側に突出されるので、遊技面４のデザインがブラケット２５により隠されることはない。
【００２７】
前面扉６の内側でガラス窓６ａの上部には、前面扉６が閉じられたときにパトライト４７と装飾保持部２５ａとが収容される収容開口３７が設けられている。カバー部材２６は、略Ｕ字状の断面形状をこの断面に直交する方向に伸ばした形態であり、収容開口３７の外側に取り付けられて、収容開口３７内にパトライト２４と装飾保持部２５ａとが収容される収容空間を形成する。
【００２８】
次に、上記実施形態の作用について説明する。パチンコ機２で遊技を行ない、入賞装置１７〜２０に遊技球が入賞すると、演出動作の一つとしてパトライト２４が点灯する。パトライト２４は、遊技面４の前方かつ外側に突出するように配置されているため、パチンコ機２の外観デザイン、イメージに大きな影響を及ぼすことができる。
【００２９】
パチンコ機２の機種変更時には、図３に示すように遊技機本体３から遊技盤５が取り外され、新たな遊技盤が取り付けられる。その際に、パトライト２４とブラケット２５も一緒に交換され、例えば色の違うパトライトや、電動式フィギュア等の異なる装飾部材が取り付けられる。これにより、前面扉６のカバー部材２６内に収容される装飾部材が変わるので、前面扉６を交換しなくても機種変更後の外観デザインを大きく変化させることができる。
【００３０】
なお、上記実施形態では、遊技盤５の交換時に装飾部材を一緒に交換するようにしたが、装飾部材だけを交換してもよい。例えば、大当たり確率の変更等、軽微な設定変更時に装飾部材を一緒に交換すれば、ローコストにパチンコ機２のイメージを変更することができる。また、同じ種類の機種に異なる装飾部材を取り付けて、機種バリエーションを増やしてもよい。
【００３１】
また、上記実施形態では、前面扉６にカバー部材２６を設けたが、ブラケット２５または遊技盤５にカバー部材２６を取り付けてもよい。この場合、前面扉６にカバー部材２６と組み合わされて装飾部材が視認可能なように露呈させる窓、または開口を一体に形成すればよい。これによれば、遊技盤５の交換時にカバー部材２６も一緒に交換することができるので、パチンコ機２の外観デザインをより大幅に変更することができる。
【００３２】
また、装飾部材として、パトライトや電動式フィギュア等の電気的装飾装置を例に挙げたが、各種デザインが印刷されたデザインシート用いてもよいし、デザインシートと電気的装飾装置とを組み合わせてもよい。また、デザインシートを用いる場合には、例えばブラケット２５の装飾保持部２５ａが垂直面になるよう形成してデザインシートが遊技者から視認しやすくする等、装飾部材の種類に応じてブラケットの形状を変更することが好ましい。
【００３３】
更に、ブラケット２５を遊技盤５の背面上部に取り付けたが、背面側部に取り付けて遊技面４の前方かつ外側に装飾部材を配置してもよい。この場合、ガラス窓６ａの側方にカバー部材を配置することになり、外観デザインを更に大幅に変更することができる。
【００３４】
また、上記ブラケット２５に代えて、図６に示すブラケット４０を用いてもよい。このブラケット４０は、遊技盤５に取り付けられる固定ベース部４１と、この固定ベース部４１に回転軸４２によって回転自在に軸支される装飾保持回転部４３と、この装飾保持回転部４３を所定の位置でロックするロック部４４から構成される。
【００３５】
固定ベース部４１は、例えば金属薄板を断面がＬ字状となるように屈曲したもので、垂直面４１ａには遊技盤５にネジ止めする際に使用される複数個の穴４１ｂが設けられている。また、水平面４１ｃの幅方向中央の端縁近傍には、回転軸４２が挿入されて抜け止めされる貫通孔が設けられている。
【００３６】
装飾保持回転部４３は、固定ベース部４１と同様に金属薄板を断面がＬ字状となるように屈曲したもので、垂直面４３ａの下面に回転軸４２が設けられ、水平面４３ｂの下面に装飾部材であるパトライト４７が取り付けられる。この装飾保持回転部４３は、パトライト４７が前面を向く装飾位置と、２点鎖線で示すように、パトライト４７が背面を向く保護位置との間で回転される。
【００３７】
ロック部４４は、例えば、固定ベース部４１の側面に回転自在に取り付けられた掛け金５０と、装飾保持回転部４３の側面に立設されて掛け金５０が掛けられるピン５１から構成されており、固定ベース部４１と装飾保持回転部４３の両側面に同じものが設けられる。このロック部４４は、装飾保持回転部４３を装飾位置及び保護位置で回転しないようにロックする。なお、ロック部４４は掛け金とピンに限定されず、装飾保持回転部４３を所定の位置でロックできる構成であればよい。
【００３８】
装飾保持回転部４３は、機種変更用の遊技盤５を遊技店まで運搬し、遊技機本体３への取り付けが終了するまで保護位置に回転され、取り付け終了後に装飾位置に回転されてロック部４４によりロックされる。これにより、遊技盤５に対するブラケット４０の突出量を小さくすることができるので、運搬時の遊技盤５の梱包を簡略化することができ、かつブラケット４０の破損を防止することができる。また、遊技盤５を遊技機本体３に取り付ける際に、遊技盤５が取り扱いやすくなる。
【図面の簡単な説明】
【００３９】
【図１】本発明を用いたパチンコ機の構成を示す外観斜視図である。
【図２】前面扉を開放した状態を示すパチンコ機の外観斜視図である。
【図３】遊技機本体から遊技盤を取り外した状態を示すパチンコ機の外観斜視図である。
【図４】ブラケットの取り付け状態を示す遊技盤の外観斜視図である。
【図５】ブラケット近傍の構成を示す断面図である。
【図６】本発明の別の構成のブラケットを示す外観斜視図である。
【符号の説明】
【００４０】
２  パチンコ機
３  遊技機本体
４  遊技面
５  遊技盤
６  前面扉
９  下部ユニット
２４  パトライト
２５  ブラケット
２６  カバー部材
３７  収容開口
【図１】
2009028351.tif 000003
【図２】
2009028351.tif 000004
【図３】
2009028351.tif 000005
【図４】
2009028351.tif 000006
【図５】
2009028351.tif 000007
【図６】
2009028351.tif 000008